(57)【要約】【課題】  伝送効率を向上させる伝送制御装置、伝送システム、及び伝送方法を提供する。【解決手段】  伝送制御装置は、データと、前記データを訂正するための誤り訂正符号の何れかを伝送する伝送容量の異なる複数のサブキャリアから、前記誤り訂正符号を伝送する１以上のサブキャリアを、前記誤り訂正符号のデータ量と、前記複数のサブキャリアにそれぞれ割り当てられた伝送容量とに応じて選択する選択部を有する。【選択図】図１２
2014107854.tif 000002
【特許請求の範囲】
【請求項１】
データと、前記データを訂正するための誤り訂正符号の何れかを伝送する伝送容量の異なる複数のサブキャリアから、前記誤り訂正符号を伝送する１以上のサブキャリアを、前記誤り訂正符号のデータ量と、前記複数のサブキャリアにそれぞれ割り当てられた伝送容量とに応じて選択する選択部を有することを特徴とする伝送制御装置。
【請求項２】
前記選択部は、前記複数のサブキャリアのうち、前記誤り訂正符号を伝送するときに、前記伝送容量の余りが所定値より小さくなる１以上のサブキャリアを選択することを特徴とする請求項１に記載の伝送制御装置。
【請求項３】
前記選択部は、前記複数のサブキャリアのうち、前記誤り訂正符号を伝送するときに、前記伝送容量の余りが所定値より小さくなる１以上のサブキャリアが存在しない場合、前記複数のサブキャリアのうち、前記誤り訂正符号を伝送するときに、前記伝送容量の余りが最小となる１以上のサブキャリアを選択することを特徴とする請求項２に記載の伝送制御装置。
【請求項４】
前記選択部は、前記複数のサブキャリアのうち、前記誤り訂正符号を伝送するときに、前記伝送容量の余りが最小となる１以上のサブキャリアを選択することを特徴とする請求項１に記載の伝送制御装置。
【請求項５】
前記誤り訂正符号のデータ量を、前記複数のサブキャリアの伝送特性に応じて決定する決定部を、さらに有することを特徴とする請求項１乃至４の何れかに記載の伝送制御装置。
【請求項６】
前記伝送容量は、前記複数のサブキャリアの伝送特性に応じて、前記複数のサブキャリアにそれぞれ割り当てられることを特徴とする請求項１乃至５の何れかに記載の伝送制御装置。
【請求項７】
請求項１乃至６の何れかに記載の伝送制御装置と、
前記選択部による選択に従って、前記データ及び前記誤り訂正符号を、前記複数のサブキャリアに重畳して伝送する伝送装置とを含むことを特徴とする伝送システム。
【請求項８】
データと、前記データを訂正するための誤り訂正符号の何れかを伝送する伝送容量の異なる複数のサブキャリアから、前記誤り訂正符号を伝送する１以上のサブキャリアを、前記誤り訂正符号のデータ量と、前記複数のサブキャリアにそれぞれ割り当てられた伝送容量とに応じて選択し、
該選択に従って、前記データ及び前記誤り訂正符号を、前記複数のサブキャリアに重畳して伝送することを特徴とする伝送方法。
【発明の詳細な説明】
【技術分野】
【０００１】
本件は、伝送制御装置、伝送システム、及び伝送方法に関する。
【背景技術】
【０００２】
通信の需要が増加するに伴って、波長多重技術（ＷＤＭ：Ｗａｖｅｌｅｎｇｔｈ  Ｄｉｖｉｓｉｏｎ  Ｍｕｌｔｉｐｌｅｘｉｎｇ）を利用した光ネットワークが広く普及している。波長多重技術は、波長が異なる複数の光信号を多重化して伝送する技術である。波長多重技術によると、例えば、伝送速度４０（Ｇｂｐｓ）×４０波の光信号の多重化を行い、１．６（Ｔｂｐｓ）の波長多重光信号として伝送することが可能である。
【０００３】
波長多重伝送システムにおける誤り訂正手段として、例えば前方誤り訂正（ＦＥＣ：Ｆｏｒｗａｒｄ  Ｅｒｒｏｒ  Ｃｏｒｒｅｃｔｉｏｎ）が挙げられる。ＦＥＣは、冗長度や符号変調方式に応じた誤り訂正能力を発揮する。
【０００４】
ＦＥＣに関し、例えば、特許文献１には、ＦＥＣデータを、主信号データとは異なる波長光に割り当て、独立した信号として伝送する波長多重伝送システムが開示されている。この波長多重伝送システムによると、ＦＥＣを主信号データの末尾に付加することがないから、伝送速度が低減され、システムのコストも低減されるとされている。さらに、この波長多重伝送システムによると、主信号とＦＥＣとを明確に区別できるから、誤り訂正処理が容易となる。
【先行技術文献】
【特許文献】
【０００５】
【特許文献１】特開２００３−２２９８１５号公報
【発明の概要】
【発明が解決しようとする課題】
【０００６】
しかしながら、波長多重伝送システムにおいて、各波長光の伝送容量は同一値に固定されているのに対して、ＦＥＣデータの量は、波長光の伝送容量とは無関係に、ＦＥＣの符号変調方式、及び主信号データの量に応じて決定される。このため、ＦＥＣデータに割り当てられた波長光の伝送容量が、過剰に余ることがある。したがって、上記の波長多重伝送システムは、伝送効率が低いという問題がある。
【０００７】
そこで本件は上記の課題に鑑みてなされたものであり、伝送効率を向上させる伝送制御装置、伝送システム、及び伝送方法を提供することを目的とする。
【課題を解決するための手段】
【０００８】
本明細書に記載の伝送制御装置は、データと、前記データを訂正するための誤り訂正符号の何れかを伝送する伝送容量の異なる複数のサブキャリアから、前記誤り訂正符号を伝送する１以上のサブキャリアを、前記誤り訂正符号のデータ量と、前記複数のサブキャリアにそれぞれ割り当てられた伝送容量とに応じて選択する選択部を有する。
【０００９】
本明細書に記載の伝送方法は、データと、前記データを訂正するための誤り訂正符号の何れかを伝送する伝送容量の異なる複数のサブキャリアから、前記誤り訂正符号を伝送する１以上のサブキャリアを、前記誤り訂正符号のデータ量と、前記複数のサブキャリアにそれぞれ割り当てられた伝送容量とに応じて選択し、該選択に従って、前記データ及び前記誤り訂正符号を、前記複数のサブキャリアに重畳して伝送する。
【発明の効果】
【００１０】
本明細書に記載の伝送制御装置、伝送システム、及び伝送方法は、伝送効率を向上させるという効果を奏する。
【図面の簡単な説明】
【００１１】
【図１】実施例に係る伝送システムの構成を示す構成図である。
【図２】各サブキャリアの周波数ごとのスペクトルを示すグラフである。
【図３】各サブキャリア（周波数）に対して割り当てられる伝送容量（ビット数）を示すグラフである。
【図４】各サブキャリアが伝送する信号の例を示す図である。
【図５】伝送装置の送信部の機能構成を示す構成図である。
【図６】伝送容量割当情報の一例を示す表である。
【図７】サブキャリア選択情報の一例を示す表である。
【図８】第１シリアル−パラレル変換部によるデータの分割手法を示す図である。
【図９】第２シリアル−パラレル変換部によるＦＥＣの分割手法を示す図である。
【図１０】伝送装置の受信部の機能構成を示す構成図である。
【図１１】伝送特性情報の一例を示す表である。
【図１２】実施例に係る伝送制御装置の機能構成を示す構成図である。
【図１３】実施例に係る伝送方法を示すフローである。
【図１４】サブキャリア選択部の処理の一例を示すフローである。
【図１５】ＦＥＣを伝送するときに生ずる伝送容量の余りを示す図である。
【図１６】サブキャリア選択部の処理の他例を示すフローである。
【図１７】他の実施例に係る伝送制御装置の機能構成を示す構成図である。
【図１８】他の実施例に係る伝送方法を示すフローである。
【発明を実施するための形態】
【００１２】
図１は、実施例に係る伝送システムの構成を示す構成図である。伝送システムは、伝送制御装置１と、一対の伝送装置２ａ，２ｂとを含む。一対の伝送装置２ａ，２ｂは、それぞれ、信号を送信する送信部３と、信号を受信する受信部４とを含む。一方の伝送装置２ａ，２ｂの送信部３は、個別の光ファイバ９を介して、他方の伝送装置２ｂ，２ａの受信部４と接続されている。これにより、一対の伝送装置２ａ，２ｂは、互いに光信号を伝送することができる。
【００１３】
また、一対の伝送装置２ａ，２ｂは、外部のネットワーク６ａ，６ｂとそれぞれ接続されている。アクセス系の伝送システムを例に挙げると、ネットワーク６ａ，６ｂの一方は、ユーザの宅内、またはオフィス内のＬＡＮ（Ｌｏｃａｌ  Ａｒｅａ  Ｎｅｔｗｏｒｋ）であり、他方は、基幹系のネットワークである。送信部３は、ネットワーク６ａ，６ｂから受信した信号を、受信部４に送信する。一方、受信部４は、送信部３から受信した信号を、ネットワーク６ａ，６ｂに送信する。
【００１４】
伝送制御装置１は、各伝送装置２ａ，２ｂと接続され、通信することにより、各伝送装置２ａ，２ｂを制御する。伝送制御装置１は、例えば、ネットワーク管理装置であり、監視制御用ＬＡＮなどを介して、各伝送装置２ａ，２ｂと接続されている。この場合、伝送制御装置１、及び各伝送装置２ａ，２ｂは、例えばＳＮＭＰ（Ｓｉｍｐｌｅ  Ｎｅｔｗｏｒｋ  Ｍａｎａｇｅｍｅｎｔ  Ｐｒｏｔｏｃｏｌ）を用いて通信する。
【００１５】
伝送装置２ａ，２ｂは、データ信号を複数のサブキャリア（搬送波）に重畳し、パラレルに伝送するマルチキャリア伝送方式を用いる。本実施例では、このマルチキャリア伝送方式に用いられる変調方式の一例として、離散マルチトーン（ＤＭＴ：Ｄｉｓｃｒｅｔｅ  Ｍｕｌｔｉ−Ｔｏｎｅ）方式を挙げるが、これに限定されない。他の変調方式としては、ＤＭＴ方式のベースである直交周波数分割多重方式（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）が挙げられる。
【００１６】
図２は、各サブキャリアの周波数ごとのスペクトルを示すグラフである。図２において、横軸は周波数を表し、縦軸は強度を表す。伝送装置２ａ，２ｂは、所定の周波数帯域（例えば、１０（ＧＨｚ））を、一定の周波数間隔をおいたｎ（ｎは自然数（例：２５５））個の周波数ｆ１〜ｆｎ（ＧＨｚ）に分割して得られる各周波数の信号を、サブキャリア＃１〜＃ｎとして伝送する。なお、「＃１〜＃ｎ」は、個々のサブキャリアを識別するためのサブキャリア番号を表す。
【００１７】
サブキャリア＃１〜＃ｎは、個別の伝送容量が割り当てられる。図３は、各サブキャリア（周波数）に対して割り当てられる伝送容量（ビット数）を示すグラフである。図３において、横軸は周波数を表し、縦軸は伝送容量を表す。また、点線で示された曲線は、周波数、つまりサブキャリアに対する伝送特性を表し、縦軸における値が大きいほど、特性が良好であることを示す。
【００１８】
サブキャリア＃１〜＃ｎは、伝送特性が良好であるほど、大きな伝送容量が割り当てられ、逆に、伝送特性が悪いほど、小さな伝送容量が割り当てられる。この伝送容量は、伝送装置２ａ，２ｂの送信部３において、一回の変調処理により変調されるビット数（データ量）である。このため、伝送容量の割り当てにより、各サブキャリア＃１〜＃ｎに対応する個別の変調方法が決定される。このように、各サブキャリア＃１〜＃ｎの伝送特性に応じた伝送容量を割り当てることにより、伝送効率を向上することができる。
【００１９】
図４は、各サブキャリア＃１〜＃ｎが伝送する信号の例を示す図である。サブキャリア＃１〜＃ｎは、ユーザデータ、及び、該ユーザデータを訂正するための誤り訂正符号であるＦＥＣを個別に伝送する。なお、本実施例では、誤り訂正符号の例としてＦＥＣを挙げるが、これに限定されない。
【００２０】
図４の例では、サブキャリア＃２がＦＥＣを伝送し、他のサブキャリア＃１，＃３〜＃ｎがユーザデータを伝送する。サブキャリア＃１，＃３〜＃ｎが伝送するユーザデータは、例えば、主信号や監視制御信号（ＯＡＭ：Ｏｐｅｒａｔｉｏｎ、Ａｄｍｉｎｉｓｔｒａｔｉｏｎ  ａｎｄ  Ｍａｉｎｔｅｎａｎｃｅ）などに含まれるデータである。伝送されるユーザデータのデータ量は、各サブキャリア＃１，＃３〜＃ｎの伝送容量に応じて異なる。
【００２１】
このように、ユーザデータ、及び誤り訂正符号を、互いに異なるサブキャリアに重畳して伝送することによって、ユーザデータと誤り訂正符号とを明確に区別できるから、誤り訂正処理が容易となる。ユーザデータ、及び誤り訂正符号を伝送するサブキャリアは、伝送制御装置１により選択される。なお、本例において、ＦＥＣを伝送するサブキャリアは、１つであるが、複数であってもよい。
【００２２】
図５は、伝送装置２ａ，２ｂの送信部３の機能構成を示す構成図である。送信部３は、信号処理部３０と、電気−光（Ｅ／Ｏ）変換部３１と、記憶部３２と、通信処理部３３とを有する。
【００２３】
信号処理部３０は、外部のネットワーク６ａ，６ｂから受信したデータ信号Ｓを処理して、ＦＥＣを含むＦＥＣ信号とともに、複数のサブキャリア＃１〜＃ｎに重畳された電気的な変調信号Ｆｅを生成する。電気−光変換部３１は、例えばレーザーダイオードを有し、信号処理部３０が生成した変調信号Ｆｅを、光信号Ｆｏに変換して光ファイバ９に出力する。
【００２４】
通信処理部３３は、伝送制御装置１との通信を処理する。記憶部３２は、メモリなどの記憶手段である。通信処理部３３は、伝送制御装置１から受信した伝送容量割当情報７１及びサブキャリア選択情報７２を、記憶部３２に記憶させる。また、通信処理部３３は、伝送制御装置１から信号処理部３０に対する指示信号などを処理する。
【００２５】
信号処理部３０は、記憶部３２から伝送容量割当情報７１及びサブキャリア選択情報７２を読み出し、伝送容量割当情報７１及びサブキャリア選択情報７２に基づいて処理を行う。図６には、伝送容量割当情報７１の一例が示されている。伝送容量割当情報７１は、サブキャリア＃１〜＃ｎにそれぞれ対応する伝送容量（ビット数）を示す。
【００２６】
また、図７には、サブキャリア選択情報７２の一例が示されている。サブキャリア選択情報７２は、サブキャリア＃１〜＃ｎにそれぞれ対応する伝送対象が示されている。つまり、サブキャリア選択情報７２は、サブキャリア＃１〜＃ｎごとに、ユーザデータ、またはＦＥＣの何れを伝送するのかを示す。
【００２７】
信号処理部３０は、例えばＤＳＰ（Ｄｉｇｉｔａｌ  Ｓｉｇｎａｌ  Ｐｒｏｃｅｓｓｏｒ）などの演算処理手段である。信号処理部３０は、誤り訂正符号生成部３００と、第１及び第２シリアル−パラレル（Ｓ／Ｐ）変換部３０１ａ，３０１ｂと、第１及び第２変調部３０３ａ，３０３ｂとを含む。さらに、信号処理部３０は、第１及び第２逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）部３０４ａ，３０４ｂと、合成部３０５とを含む。
【００２８】
第１シリアル−パラレル変換部３０１ａ、第１変調部３０３ａ、及び第１逆高速フーリエ変換部３０４ａは、データ信号Ｓを第１時間信号ｆａに変換する。一方、第２シリアル−パラレル変換部３０１ｂ、第２変調部３０３ｂ、及び第２逆高速フーリエ変換部３０４ｂは、データ信号Ｓから生成されたＦＥＣ信号Ｃを、第２時間信号ｆｂに変換する。以下に、詳細を述べる。
【００２９】
データ信号Ｓは、分岐して、誤り訂正符号生成部３００と、第１シリアル−パラレル変換部３０１ａとに入力される。第１シリアル−パラレル変換部３０１ａは、データ信号Ｓをパラレル変換し、各サブキャリア＃１〜＃ｎに重畳するユーザデータごとに分割する。
【００３０】
図８には、第１シリアル−パラレル変換部３０１ａによるデータの分割手法が示されている。第１シリアル−パラレル変換部３０１ａは、シリアルに入力されるデータ信号Ｓから、伝送容量割当情報７１及びサブキャリア選択情報７２に基づいてサブキャリア＃１〜＃ｎごとのユニット信号Ｓａ（１）〜（ｊ）（ｊは自然数）を生成する。ここで、ｊは、複数のサブキャリア＃１〜＃ｎのうち、ユーザデータを伝送するサブキャリアの数である。
【００３１】
より具体的には、第１シリアル−パラレル変換部３０１ａは、サブキャリア選択情報７２から、ユーザデータを伝送するサブキャリアを判別し、伝送容量割当情報７１から、該サブキャリアの伝送容量を取得して、ユニット信号Ｓａ（１）〜（ｊ）を生成する。図６及び図７の例の場合、ユニット信号Ｓａ（１）〜（ｊ）（本例ではｊ＝ｎ−１）のビット数は、サブキャリア＃１，＃３〜＃ｎの伝送容量にそれぞれ一致する。
【００３２】
第１シリアル−パラレル変換部３０１ａは、ユニット信号Ｓａ（１）〜（ｊ）を、第１変調部３０３ａに出力する。第１変調部３０３ａは、ユニット信号Ｓａ（１）〜（ｊ）を、各ビット数に応じた変調方法によりそれぞれ変調する。この変調方法は、例えば、ビット数が４である場合、１６−ＱＡＭ（Ｑｕａｄｒａｔｕｒｅ  Ａｍｐｌｉｔｕｄｅ  Ｍｏｄｕｌａｔｉｏｎ（直角位相振幅変調））であり、ビット数が２である場合、４−ＱＡＭである。
【００３３】
すなわち、各サブキャリアの伝送容量は、第１変調部３０３ａによる一回の変調処理によって変調されるビット数（データ量）であり、ユニット信号Ｓａ（１）〜（ｊ）は、該ビット数に応じた変調方法により変調される。なお、変調方法は、上記のＱＡＭに限定されず、ＰＳＫ（Ｐｈａｓｅ−Ｓｈｉｆｔ  Ｋｅｙｉｎｇ（位相偏移変調））などの他の方法であってもよい。
【００３４】
第１変調部３０３ａは、サブキャリア選択情報７２から、ユーザデータを伝送するサブキャリアを判別して変調を行う。第１変調部３０３ａは、変調したデータ信号Ｓａ（１）〜（ｊ）を、第１逆高速フーリエ変換部３０４ａに出力する。
【００３５】
第１逆高速フーリエ変換部３０４ａは、変調されたユニット信号Ｓａ（１）〜（ｊ）を逆高速フーリエ変換する。これにより、複素平面軸上のユニット信号Ｓａ（１）〜（ｊ）は、時間軸上の第１時間信号ｆａに変換される。このとき、第１逆高速フーリエ変換３０４ａは、サブキャリア選択情報７２から、ユーザデータを伝送するサブキャリアを判別し、該サブキャリアに対応する周波数を用いて変換を行う。第１時間信号ｆａは、合成部３０５に入力される。
【００３６】
一方、誤り訂正符号生成部３００は、データ信号Ｓに含まれるユーザデータを訂正するための誤り訂正符号であるＦＥＣを生成する。誤り訂正符号生成部３００は、生成したＦＥＣを、ＦＥＣ信号Ｃとして第２シリアル−パラレル変換部３０１ｂに出力する。
【００３７】
第２シリアル−パラレル変換部３０１ｂは、ＦＥＣ信号Ｃをパラレル変換し、第１シリアル−パラレル変換部３０１ａと同様の手法によって、各サブキャリアに重畳するデータごとに分割する。
【００３８】
図９には、第２シリアル−パラレル変換部３０１ｂによるデータの分割手法が示されている。第２シリアル−パラレル変換部３０１ｂは、シリアルに入力されるＦＥＣ信号Ｃから、伝送容量割当情報７１及びサブキャリア選択情報７２に基づいて、サブキャリアごとのユニット信号Ｓｂ（１）〜（ｋ）（ｋは自然数）を生成する。ここで、ｋは、サブキャリア＃１〜＃ｎのうち、ＦＥＣを伝送するサブキャリアの数である。
【００３９】
より具体的には、第２シリアル−パラレル変換部３０１ｂは、サブキャリア選択情報７２から、ＦＥＣを伝送するサブキャリアを判別し、伝送容量割当情報７１から、該サブキャリアの伝送容量を取得して、ユニット信号Ｓｂ（１）〜（ｋ）を生成する。なお、図９には、図６及び図７の例とは異なり、ＦＥＣを伝送するサブキャリアとして、複数のサブキャリアが選択された場合が示されている。一方、図６及び図７の例のように、単一のサブキャリアが選択された場合、第２シリアル−パラレル変換部３０１ｂは、単一のユニット信号Ｓｂ（１）を生成する。
【００４０】
第２シリアル−パラレル変換部３０１ｂは、ユニット信号Ｓｂ（１）〜（ｋ）を第２変調部３０３ｂに出力する。第２変調部３０３ｂは、サブキャリア選択情報７２から、ＦＥＣを伝送するサブキャリアを判別し、第１変調部３０３ａと同様に、ユニット信号Ｓｂ（１）〜（ｋ）を、各ビット数に応じた変調方法によりそれぞれ変調する。第２変調部３０３ｂは、変調したユニット信号Ｓｂ（１）〜（ｋ）を、第２逆高速フーリエ変換部３０４ｂに出力する。
【００４１】
第２逆高速フーリエ変換部３０４ｂは、サブキャリア選択情報７２に基づき、第１逆高速フーリエ変換部３０４ａと同様に、変調されたユニット信号Ｓｂ（１）〜（ｋ）を逆高速フーリエ変換する。これにより、複素平面軸上のユニット信号Ｓｂ（１）〜（ｋ）は、時間軸上の第２時間信号ｆｂに変換される。このとき、第２逆高速フーリエ変換３０４ｂは、サブキャリア選択情報７２から、ＦＥＣを伝送するサブキャリアを判別し、該サブキャリアに対応する周波数を用いて変換を行う。第２時間信号ｆｂは、合成部３０５に入力される。
【００４２】
合成部３０５は、第１及び第２逆高速フーリエ変換部３０４ａ，３０４ｂからそれぞれ入力された第１及び第２時間信号ｆａ，ｆｂを合成する。合成部３０５は、サブキャリア選択情報７２に基づいて周波数変調を行うことにより合成処理を行う。これにより、データ信号Ｓ及びＦＥＣ信号Ｃは、各サブキャリア＃１〜＃ｎに該当する時間信号に重畳される。合成処理により得られた変調信号Ｆｅは、電気−光変換部３１により光信号Ｆｏに変換されて光ファイバ９に出力され、対向する伝送装置２ａ，２ｂの受信部４において受信される。
【００４３】
図１０は、伝送装置２ａ，２ｂの受信部４の機能構成を示す構成図である。受信部４は、信号処理部４０と、光−電気（Ｏ／Ｅ）変換部４１と、伝送特性測定部４２と、記憶部４３と、通信処理部４４とを有する。
【００４４】
光−電気変換部４１は、例えばフォトダイオードを有し、光ファイバ９を介して入力された光信号Ｆｏを、電気的な変調信号Ｆｅに変換して信号処理部４０に出力する。信号処理部４０は、変調信号Ｆｅを処理して、元のデータ信号Ｓを生成する。生成されたデータ信号Ｓは、外部のネットワーク６ａ，６ｂに送信される。
【００４５】
通信処理部４４は、伝送制御装置１との通信を処理する。記憶部４３は、メモリなどの記憶手段である。通信処理部４４は、伝送制御装置１から受信した伝送容量割当情報７１及びサブキャリア選択情報７２と、伝送特性測定部４２から入力された伝送特性情報７０を、記憶部４３に記憶させる。また、通信処理部４３は、伝送制御装置１から信号処理部４０に対する指示信号などを処理する。なお、通信処理部４４に代えて、同一の伝送装置２ａ，２ｂに設けられた送信部３の通信処理部３３が用いられてもよい。
【００４６】
信号処理部４０は、記憶部４３から伝送容量割当情報７１及びサブキャリア選択情報７２を読み出し、伝送容量割当情報７１及びサブキャリア選択情報７２に基づいて処理を行う。伝送容量割当情報７１及びサブキャリア選択情報７２は、図６及び図７を参照して述べたとおりである。
【００４７】
信号処理部４０は、例えばＤＳＰなどの演算処理手段である。信号処理部４０は、分離部４００と、第１及び第２高速フーリエ変換（ＦＦＴ：Ｆａｓｔ  Ｆｏｕｒｉｅｒ  Ｔｒａｎｓｆｏｒｍ）部４０１ａ，４０１ｂと、第１及び第２復調部４０２ａ，４０２ｂとを含む。さらに、信号処理部４０は、第１及び第２パラレル−シリアル（Ｐ／Ｓ）変換部４０４ａ，４０４ｂと、スキュー調整部４０５と、誤り訂正部４０６とを含む。
【００４８】
分離部４００は、サブキャリア選択情報７２に基づいて、周波数成分のフィルタリング処理を行うことにより、変調信号Ｆｅを第１及び第２時間信号ｆａ，ｆｂに分離する。第１及び第２時間信号ｆａ，ｆｂは、第１及び第２高速フーリエ変換部４０１ａ，４０１ｂにそれぞれ入力される。
【００４９】
第１高速フーリエ変換部４０１ａ、第１復調部４０２ａ、及び第１パラレル−シリアル変換部４０４ａは、第１時間信号ｆａをデータ信号Ｓに変換する。一方、第２高速フーリエ変換部４０１ｂ、第２復調部４０２ｂ、及び第２パラレル−シリアル変換部４０４ｂは、第２時間信号ｆｂをＦＥＣ信号Ｃに変換する。以下に、詳細を述べる。
【００５０】
第１高速フーリエ変換部４０１ａは、時間軸上の第１時間信号ｆａを、高速フーリエ変換によって複素平面軸上のユニット信号Ｓａ（１）〜（ｊ）に変換する。このとき、第１高速フーリエ変換４０１ａは、サブキャリア選択情報７２から、ユーザデータを伝送するサブキャリアを判別し、該サブキャリアに対応する周波数を用いて変換を行う。ユニット信号Ｓａ（１）〜（ｊ）は、第１復調部４０２ａに入力される。
【００５１】
第１復調部４０２ａは、伝送容量割当情報７１及びサブキャリア選択情報７２に基づいて、ユニット信号Ｓａ（１）〜（ｊ）をそれぞれ復調する。第１復調部４０２ａは、サブキャリア選択情報７２から、ユーザデータを伝送するサブキャリアを判別し、伝送容量割当情報７１から、該サブキャリアの伝送容量を取得する。そして、第１復調部４０２ａは、ユニット信号Ｓａ（１）〜（ｊ）を、各々のビット数に応じた復調方法によって復調する。復調されたユニット信号Ｓａ（１）〜（ｊ）は、第１パラレル−シリアル変換部４０４ａに入力される。
【００５２】
第１パラレル−シリアル変換部４０４ａは、伝送容量割当情報７１及びサブキャリア選択情報７２に基づいて、復調されたデータ信号Ｓａ（１）〜（ｊ）を、各ビット数に応じて展開し、データ信号Ｓを生成する。データ信号Ｓは、スキュー調整部４０５に入力される。
【００５３】
一方、第２高速フーリエ変換部４０１ｂは、時間軸上の第２時間信号ｆｂを、高速フーリエ変換によって複素平面軸上のユニット信号Ｓｂ（１）〜（ｋ）に変換する。このとき、第２高速フーリエ変換４０１ｂは、サブキャリア選択情報７２から、ＦＥＣを伝送するサブキャリアを判別し、該サブキャリアに対応する周波数を用いて変換を行う。ユニット信号Ｓｂ（１）〜（ｋ）は、第２復調部４０２ｂに入力される。なお、ＦＥＣが単一のサブキャリアにより伝送される場合、単一のユニット信号Ｓｂ（１）が入力される。
【００５４】
第２復調部４０２ｂは、第１復調部４０１ａと同様に、伝送容量割当情報７１及びサブキャリア選択情報７２に基づいて、ユニット信号Ｓｂ（１）〜（ｋ）をそれぞれ復調する。第２パラレル−シリアル変換部４０４ｂは、第１パラレル−シリアル変換部４０４ａと同様に、伝送容量割当情報７１及びサブキャリア選択情報７２に基づいて、復調されたデータ信号Ｓｂ（１）〜（ｋ）を、各ビット数に応じて展開し、ＦＥＣ信号Ｃを生成する。データ信号Ｃは、スキュー調整部４０５に入力される。
【００５５】
スキュー調整部４０５は、第１パラレル−シリアル変換部４０４ａから入力されたデータ信号Ｓと、第２パラレル−シリアル変換部４０４ｂから入力されたＦＥＣ信号Ｃとの間のスキューを調整する。スキューが調整されたデータ信号Ｓ、及びＦＥＣ信号Ｃは、誤り訂正部４０６に入力される。
【００５６】
誤り訂正部４０６は、ＦＥＣ信号Ｃに含まれるＦＥＣによって、データ信号Ｓのデータの誤りを訂正する。このとき、訂正可能なビット数は、ＦＥＣの冗長度に応じて決定される。本実施例において、ＦＥＣは、ユーザデータを含むデータ信号Ｓとは異なるＦＥＣ信号として処理されるから、ユーザデータとは明確に区別され、誤り訂正処理が容易である。なお、訂正されたデータ信号Ｓは、外部のネットワーク６ａ，６ｂに送信される。
【００５７】
また、伝送特性測定部４２は、誤り訂正部４０６から、誤り訂正される前のデータ信号Ｓを取得し、伝送特性を測定する。測定される伝送特性としては、例えばビットエラーレート（ＢＥＲ：Ｂｉｔ  Ｅｒｒｏｒ  Ｒａｔｅ）が挙げられるが、これに限定されない。測定に用いられるデータ信号Ｓのデータは、例えばＰＲＢＳ（Ｐｓｅｄｏｒａｎｄｏｍ  Ｂｉｎａｒｙ  Ｓｅｑｕｅｎｃｅ）などのランダムパタンデータとするとよい。なお、以降の説明において、測定に用いるデータ信号Ｓを測定信号と表記する。
【００５８】
伝送特性の測定は、伝送制御装置１からの指示に基づいて、例えば伝送システムの起動時に、サブキャリアごとに行われる。伝送特性測定部４２は、測定された伝送特性を示す伝送特性情報７０を生成し、記憶部４３に記憶させる。
【００５９】
図１１は、伝送特性情報７０の一例を示す表である。伝送特性情報７０は、サブキャリア＃１〜＃ｎごとのビットエラーレートの数値を示す。伝送特性情報７０は、伝送制御部装置１において伝送容量割当情報７１の生成処理に用いられる。通信処理部４４は、記憶部４３内の伝送特性情報７０を読み出して、伝送制御装置１に送信する。
【００６０】
図１２は、実施例に係る伝送制御装置１の機能構成を示す構成図である。伝送制御装置１は、伝送容量割当部１０と、サブキャリア選択部１１と、記憶部１２と、通信処理部１３と、信号制御部１５とを有する。ここで、伝送容量割当部１０、サブキャリア選択部１１、信号制御部１５、及び通信処理部１３は、例えば、ＣＰＵ（Ｃｅｎｔｒａｌ  Ｐｒｏｃｅｓｓｉｎｇ  Ｕｎｉｔ）などの演算処理手段であり、記憶部１２は、メモリなどの記憶手段である。
【００６１】
通信処理部１３は、伝送装置２ａ，２ｂとの通信を処理する。通信処理部１３は、伝送装置２ａ，２ｂから伝送特性情報７０を受信して、記憶部１２に記憶させる。
【００６２】
伝送容量割当部１０は、ユーザデータと、ユーザデータを訂正するための誤り訂正符号であるＦＥＣとを個別に伝送する複数のサブキャリア＃１〜＃ｎに、伝送容量をそれぞれ割り当てる。伝送容量割当部１０は、図３を参照して述べたように、複数のサブキャリア＃１〜＃ｎの伝送特性に応じて、複数のサブキャリア＃１〜＃ｎに伝送容量をそれぞれ割り当てる。伝送特性は、記憶部１２内の伝送特性情報７０から得られる。伝送容量割当部１は、割り当ての結果に基づいて伝送容量割当情報７１を生成し、記憶部１２に記憶させる。
【００６３】
サブキャリア選択部１１は、複数のサブキャリア＃１〜＃ｎから、ＦＥＣを伝送する１以上のサブキャリアを、ＦＥＣのデータ量（長さ）と、伝送容量割当部１０により複数のサブキャリア＃１〜＃ｎにそれぞれ割り当てられた伝送容量とに応じて選択する。これにより、ＦＥＣのデータ量に応じて、伝送容量の空き部分ができるだけ小さくなるようにサブキャリアが選択されるから、伝送効率が向上する。サブキャリア選択部１１は、選択結果に基づいてサブキャリア選択情報７２を生成し、記憶部１２に記憶させる。なお、本実施例において、ＦＥＣのデータ量は所定値とする。
【００６４】
通信処理部１３は、記憶部１２内の伝送容量割当情報７１及びサブキャリア選択情報７２を読み出して、伝送装置２ａ，２ｂに送信する。これにより、伝送制御装置１は、伝送容量割当情報７１及びサブキャリア選択情報７２を伝送装置２ａ，２ｂに設定する。
【００６５】
また、信号制御部１５は、通信処理部１３を介して、伝送装置２ａ，２ｂと通信を行う。信号制御部１５は、伝送装置２ａ，２ｂに、伝送特性の測定の実行及び伝送処理の開始を指示する。
【００６６】
図１３は、実施例に係る伝送方法を示すフローである。まず、伝送装置２ａ，２ｂは、信号制御部１５からの指示に従って、伝送特性の測定のために測定信号を伝送する（ステップＳｔ１）。なお、測定において、各サブキャリアに割り当てられる伝送容量は一定とする。
【００６７】
次に、伝送特性測定部４２は、測定信号に基づいて伝送特性を測定する（ステップＳｔ２）。次に、伝送特性測定部４２は、測定結果に従って伝送特性情報７０を生成する（ステップＳｔ３）。生成された伝送特性情報７０は、通信処理部４４により伝送制御装置１に送信される。
【００６８】
次に、伝送容量割当部１０は、ユーザデータと、ユーザデータを訂正するための誤り訂正符号であるＦＥＣとを個別に伝送する複数のサブキャリア＃１〜＃ｎに、伝送容量をそれぞれ割り当てる（ステップＳｔ４）。伝送容量の割り当ては、上述したように、伝送特性情報７０に基づいて行われる。次に、伝送容量割当部１は、割り当ての結果に基づいて伝送容量割当情報７１を生成する（ステップＳｔ５）。生成された伝送容量割当情報７１は、記憶部１２に記憶される。
【００６９】
次に、サブキャリア選択部１１は、複数のサブキャリア＃１〜＃ｎから、ＦＥＣを伝送する１以上のサブキャリアを、ＦＥＣのデータ量と、複数のサブキャリア＃１〜＃ｎにそれぞれ割り当てられた伝送容量とに応じて選択する（ステップＳｔ６）。選択方法については、図１４〜図１６を参照して後述する。次に、サブキャリア選択部１１は、選択結果に基づいてサブキャリア選択情報７２を生成する（ステップＳｔ７）。生成されたサブキャリア選択情報７２は、記憶部１２に記憶される。
【００７０】
次に、通信処理部１３は、記憶部１２内の伝送容量割当情報７１とサブキャリア選択情報７２とを、伝送装置２ａ，２ｂに送信して設定する（ステップＳｔ８）。次に、信号制御部１５は、伝送装置２ａ，２ｂに伝送処理の開始を指示する（ステップＳｔ９）。これにより、伝送装置２ａ，２ｂは、伝送容量割当情報７１が示す割り当て内容及びサブキャリア選択情報７２が示す選択内容に従って、ユーザデータ及びＦＥＣを、複数のサブキャリア＃１〜＃ｎに重畳して伝送する。
【００７１】
図１４は、サブキャリア選択部１１の処理（上記のステップＳｔ７）の一例を示すフローである。まず、サブキャリア選択部１１は、１以上のサブキャリアを選択する（ステップＳｔ２１）。
【００７２】
Ｒ＝  Ｑ  −  Ｌ  ・・・・（１）
【００７３】
次に、サブキャリア選択部１１は、上記の式（１）に従い、選択した１以上のサブキャリアについて、ＦＥＣを伝送するときに生ずる伝送容量の余りＲを算出する（ステップＳｔ２２）。ここで、数値Ｑは、伝送容量割当情報７１から取得されるサブキャリアの伝送容量の合計であり、数値Ｌは、ＦＥＣのデータ量である。
【００７４】
図１５には、ＦＥＣを伝送するときに生ずる伝送容量の余りＲが示されている。ＦＥＣが、１以上のサブキャリアによって伝送されるとき、伝送容量の余りＲは、式（１）により得られる。
【００７５】
次に、サブキャリア選択部１１は、ステップＳｔ２２において算出した余りＲを、所定値Ｒｏと比較する（ステップＳｔ２３）。比較の結果、余りＲ＜Ｒｏである場合（ステップＳｔ２３のＹＥＳ）、サブキャリア選択部１１は、ＦＥＣを伝送するサブキャリアとして、１以上のサブキャリアの選択を確定する（ステップＳｔ２６）。このとき、他のサブキャリアは、ユーザデータを伝送するサブキャリアとして選択される。ステップＳｔ２６の処理後、サブキャリア選択部１１は、処理を終了する。
【００７６】
このように、サブキャリア選択部１１は、複数のサブキャリア＃１〜＃ｎのうち、ＦＥＣを伝送するときに、伝送容量の余りＲが所定値Ｒｏより小さくなるサブキャリアを選択する。したがって、サブキャリア選択部１１は、全てのサブキャリア＃１〜＃ｎについて
伝送容量の余りＲを算出することなく、短時間で、ＦＥＣを伝送するサブキャリアを選択できる。
【００７７】
一方、ステップＳｔ２３における比較の結果、余りＲ≧Ｒｏである場合（ステップＳｔ２３のＮＯ）、サブキャリア選択部１１は、全サブキャリア（１以上のサブキャリアの全組み合わせ含む）を選択したか否かを判定する（ステップＳｔ２４）。判定の結果、全てのサブキャリアを選択していない場合（ステップＳｔ２４のＮＯ）、サブキャリア選択部１１は、再びステップＳｔ２１の処理を行う。このとき、サブキャリア選択部１１は、未選択の１以上のサブキャリアを選択する。
【００７８】
また、判定の結果、全サブキャリアを選択した場合（ステップＳｔ２４のＹＥＳ）、サブキャリア選択部１１は、これまでの余りＲの全算出結果から、伝送容量の余りＲが最小となる１以上のサブキャリアを、ＦＥＣを伝送するサブキャリアとして選択し、該選択を確定する（ステップＳｔ２５）。このとき、他のサブキャリアは、ユーザデータを伝送するサブキャリアとして選択される。ステップＳｔ２５の処理後、サブキャリア選択部１１は、処理を終了する。
【００７９】
このように、サブキャリア選択部１１は、複数のサブキャリア＃１〜＃ｎのうち、ＦＥＣを伝送するときに、伝送容量の余りＲが所定値Ｒｏより小さくなるサブキャリアが存在しない場合、伝送容量の余りＲが最小となるサブキャリアを選択する。したがって、サブキャリア選択部１１は、該当するサブキャリアがない場合も、サブキャリアを選択できる。
【００８０】
このようにして、サブキャリア選択部１１は、複数のサブキャリア＃１〜＃ｎから、ＦＥＣを伝送するサブキャリアを選択する。図１４の例において、サブキャリア選択部１１は、該当するサブキャリアが存在しない場合に、伝送容量の余りＲが最小となるサブキャリアを選択するが、該当するサブキャリアの有無に関わらず、伝送容量の余りＲが最小となるサブキャリアを選択してもよい。
【００８１】
図１６は、サブキャリア選択部１１の処理の他例を示すフローである。まず、サブキャリア選択部１１は、１以上のサブキャリアを選択する（ステップＳｔ３１）。
【００８２】
次に、サブキャリア選択部１１は、ステップＳｔ２２の処理と同様に、上記の式（１）に従い、選択した１以上のサブキャリアについて、ＦＥＣを伝送するときに生ずる伝送容量の余りＲを算出する（ステップＳｔ３２）。次に、サブキャリア選択部１１は、全サブキャリア（１以上のサブキャリアの全組み合わせ含む）を選択したか否かを判定する（ステップＳｔ３３）。
【００８３】
判定の結果、全てのサブキャリアを選択していない場合（ステップＳｔ３３のＮＯ）、サブキャリア選択部１１は、再びステップＳｔ３１の処理を行う。このとき、サブキャリア選択部１１は、未選択の１以上のサブキャリアを選択する。
【００８４】
また、判定の結果、全サブキャリアを選択した場合（ステップＳｔ３３のＹＥＳ）、サブキャリア選択部１１は、これまでの余りＲの全算出結果から、伝送容量の余りＲが最小となる１以上のサブキャリアを、ＦＥＣを伝送するサブキャリアとして選択し、該選択を確定する（ステップＳｔ３４）。このとき、他のサブキャリアは、ユーザデータを伝送するサブキャリアとして選択される。ステップＳｔ３４の処理後、サブキャリア選択部１１は、処理を終了する。
【００８５】
このようにして、サブキャリア選択部１１は、複数のサブキャリア＃１〜＃ｎから、ＦＥＣを伝送するサブキャリアを選択する。図１６の例において、サブキャリア選択部１１は、複数のサブキャリア＃１〜＃ｎのうち、ＦＥＣを伝送するときに、伝送容量の余りＲが最小となる１以上のサブキャリアを選択する。したがって、ＦＥＣを伝送するサブキャリアとして、伝送効率が最も高くなるように、サブキャリアが選択される。
【００８６】
これまで述べたように、複数のサブキャリア＃１〜＃ｎは、互いに伝送容量が異なり、ユーザデータと、ユーザデータを訂正するための誤り訂正符号であるＦＥＣの何れかを伝送する。そして、サブキャリア選択部１１は、複数のサブキャリア＃１〜＃ｎから、ＦＥＣを伝送する１以上のサブキャリアを、ＦＥＣのデータ量と、複数のサブキャリア＃１〜＃ｎにそれぞれ割り当てられた伝送容量とに応じて選択する。
【００８７】
実施例に係る伝送制御装置１によると、複数のサブキャリア＃１〜＃ｎは、伝送容量がそれぞれ割り当てられ、各波長信号の伝送容量が固定されたＷＤＭ方式とは異なり、サブキャリア＃１〜＃ｎごとの伝送容量は異なる。また、サブキャリア選択部１１は、ＦＥＣのデータ量と、伝送容量とに応じて選択する。したがって、ＦＥＣのデータ量に応じて、伝送容量の空き部分ができるだけ小さくなるように、ＦＥＣを伝送するサブキャリアを選択できるから、伝送効率が向上する。
【００８８】
また、実施例に係る伝送システムは、伝送制御装置１と、伝送装置２ａ，２ｂとを含む。伝送装置２ａ，２ｂは、サブキャリア選択部１１による選択に従って、ユーザデータ及びＦＥＣを、複数のサブキャリア＃１〜＃ｎに重畳して伝送する。したがって、実施例に係る伝送システムによると、伝送制御装置１と同様の作用効果が得られる。
【００８９】
さらに、実施例に係る伝送方法によると、ユーザデータと、ユーザデータを訂正するためのＦＥＣの何れかを伝送する伝送容量の異なる複数のサブキャリア＃１〜＃ｎから、ＦＥＣを伝送する１以上のサブキャリアを、ＦＥＣのデータ量と、割り当てられた伝送容量とに応じて選択する。そして、該選択に従って、ユーザデータ及びＦＥＣを、複数のサブキャリア＃１〜＃ｎに重畳して伝送する。したがって、実施例に係る伝送方法によると、伝送制御装置１と同様の作用効果が得られる。
【００９０】
これまで述べた実施例では、ＦＥＣのデータ量を所定値としたが、これに限定されず、ＦＥＣのデータ量を、複数のサブキャリア＃１〜＃ｎの伝送特性に応じて決定してもよい。図１７は、他の実施例に係る伝送制御装置１の機能構成を示す構成図である。図１７において、図１２と共通する構成に関しては、同一の符号を付し、その説明を省略する。
【００９１】
送制御装置１は、伝送容量割当部１０と、サブキャリア選択部１１と、記憶部１２と、通信処理部１３と、冗長度決定部１４と、信号制御部１５とを有する。冗長度決定部１４は、ＦＥＣの冗長度を、複数のサブキャリア＃１〜＃ｎの伝送特性に応じて決定する。複数のサブキャリア＃１〜＃ｎの伝送特性は、上述した伝送特性情報７０から取得される。
【００９２】
ＦＥＣの冗長度は、ＦＥＣの誤り訂正能力に影響するパラメータである。ＦＥＣの冗長度に応じて、例えば、ユーザデータのデータ量に対するＦＥＣのデータ量の比率が決定される。すなわち、冗長度決定部１４は、ＦＥＣのデータ量を、複数のサブキャリア＃１〜＃ｎの伝送特性に応じて決定する。
【００９３】
冗長度決定部１４は、該比率、または、該比率に基づいて得られたＦＥＣのデータ量を、冗長度情報７３として記憶部１２に記憶させる。通信処理部１３は、記憶部１３内の冗長度情報７３を、伝送装置２ａ，２ｂに送信する。
【００９４】
伝送装置２ａ，２ｂにおいて、冗長度情報７３は、信号処理部３０，４０に対して設定される。これにより、誤り訂正符号生成部３００は、冗長度情報７３に応じたデータ量のＦＥＣを生成する。一方、誤り訂正部４０６は、冗長度情報７３に従って誤り訂正処理を行う。なお、冗長度情報７３は、通信処理部３３，４４を介して記憶部３２，４３に記憶されてもよい。
【００９５】
ＦＥＣの冗長度の変更は、例えば、伝送システムの外部環境の変動を契機として行われる。外部環境の変動としては、温度変化や光ファイバ９の交換などの伝送特性に影響する事象が挙げられる。
【００９６】
図１８は、本実施例に係る伝送方法を示すフローである。図１８において、ステップＳｔ４１〜Ｓｔ４３、Ｓｔ４６〜Ｓｔ４９、Ｓｔ５１は、図１３におけるステップＳｔ１〜Ｓｔ７、Ｓｔ９とそれぞれ同一であるため、その説明を省略する。
【００９７】
伝送特性情報７０が生成されると（ステップＳｔ４３）、冗長度決定部１４は、記憶部１２から伝送特性情報７０を読み出し、サブキャリア＃１〜＃ｎの伝送特性に応じてＦＥＣの冗長度を決定する（ステップＳｔ４４）。これにより、ＦＥＣのデータ量が決定される。そして、冗長度決定部１４は、決定した冗長度に応じて冗長度情報７３を生成する（ステップＳｔ４５）。生成された冗長度情報７３は、記憶部１２に記憶される。
【００９８】
通信処理部１３は、記憶部１２内の伝送容量割当情報７１、サブキャリア選択情報７２、及び冗長度情報７３を、伝送装置２ａ，２ｂに送信して設定する（ステップＳｔ５０）。本実施例によると、サブキャリアの伝送特性に応じてＦＥＣのデータ量が決定されるから、ＦＥＣの誤り訂正能力が適宜に調整される。これにより、伝送中のデータ損失などが抑制され、伝送効率が向上する。さらに、本実施例によると、決定されたＦＥＣのデータ量及び伝送容量に応じて、ＦＥＣを伝送するサブキャリアが選択されるため、先に述べた実施例と同様に、伝送効率が向上する。
【００９９】
また、上述したように、伝送装置２ａ，２ｂは、ＤＭＴ方式に従い、複数のサブキャリア＃１〜＃ｎに、伝送特性に応じた伝送容量をそれぞれ割り当て、複数のサブキャリア＃１〜＃ｎにユーザデータ及びＦＥＣを重畳して伝送する。したがって、伝送装置２ａ，２ｂの光モジュール（光−電気変換部４１及び電気−光変換部３１）が有する周波数帯域を有効に活用し、伝送レートを拡張することが可能となる。例えば、１０（Ｇｂｉｔ／ｓ）の光モジュールを用いて、４０（Ｇｂｉｔ／ｓ）の伝送レートの伝送を実現することが、理論上、可能である。
【０１００】
光モジュールは、伝送装置２ａ，２ｂの全体のコストのうち、大きな比率を占める。したがって、伝送レートが低い光モジュールを用いて、高い伝送レートを実現することは、コスト面において有効である。なお、伝送装置２ａ，２ｂは、伝送路として光ファイバ９を用いるが、これに限定されず、ＡＤＳＬ（Ａｓｙｍｍｅｔｒｉｃ  Ｄｉｇｉｔａｌ  Ｓｕｂｓｃｒｉｂｅｒ  Ｌｉｎｅ）のように、メタル（金属線）を用いてもよい。
【０１０１】
また、これまで述べた実施例において、伝送制御装置１は、伝送装置２ａ，２ｂから独立して設けられているが、これに限定されず、伝送装置２ａ，２ｂに含まれてもよい。この場合、伝送制御装置１は、自装置と同一の伝送装置２ａ，２ｂ内の送信部３及び受信部４とは、例えば配線基板などを用いた装置内通信を行い、他方の伝送装置２ｂ，２ａ内の送信部３及び受信部４とは、光ファイバ９を介して通信するとよい。
【０１０２】
以上、好ましい実施例を参照して本発明の内容を具体的に説明したが、本発明の基本的技術思想及び教示に基づいて、当業者であれば、種々の変形態様を採り得ることは自明である。
【０１０３】
なお、以上の説明に関して更に以下の付記を開示する。
（付記１）  データと、前記データを訂正するための誤り訂正符号の何れかを伝送する伝送容量の異なる複数のサブキャリアから、前記誤り訂正符号を伝送する１以上のサブキャリアを、前記誤り訂正符号のデータ量と、前記複数のサブキャリアにそれぞれ割り当てられた伝送容量とに応じて選択する選択部を有することを特徴とする伝送制御装置。
（付記２）  前記選択部は、前記複数のサブキャリアのうち、前記誤り訂正符号を伝送するときに、前記伝送容量の余りが所定値より小さくなる１以上のサブキャリアを選択することを特徴とする付記１に記載の伝送制御装置。
（付記３）  前記選択部は、前記複数のサブキャリアのうち、前記誤り訂正符号を伝送するときに、前記伝送容量の余りが所定値より小さくなる１以上のサブキャリアが存在しない場合、前記複数のサブキャリアのうち、前記誤り訂正符号を伝送するときに、前記伝送容量の余りが最小となる１以上のサブキャリアを選択することを特徴とする付記２に記載の伝送制御装置。
（付記４）  前記選択部は、前記複数のサブキャリアのうち、前記誤り訂正符号を伝送するときに、前記伝送容量の余りが最小となる１以上のサブキャリアを選択することを特徴とする付記１に記載の伝送制御装置。
（付記５）  前記誤り訂正符号のデータ量を、前記複数のサブキャリアの伝送特性に応じて決定する決定部を、さらに有することを特徴とする付記１乃至４の何れかに記載の伝送制御装置。
（付記６）前記伝送容量は、前記複数のサブキャリアの伝送特性に応じて、前記複数のサブキャリアにそれぞれ割り当てられることを特徴とする付記１乃至５の何れかに記載の伝送制御装置。
（付記７）  付記１乃至６の何れかに記載の伝送制御装置と、
前記選択部による選択に従って、前記データ及び前記誤り訂正符号を、前記複数のサブキャリアに重畳して伝送する伝送装置とを含むことを特徴とする伝送システム。
（付記８）  データと、前記データを訂正するための誤り訂正符号の何れかを伝送する伝送容量の異なる複数のサブキャリアから、前記誤り訂正符号を伝送する１以上のサブキャリアを、前記誤り訂正符号のデータ量と、前記複数のサブキャリアにそれぞれ割り当てられた伝送容量とに応じて選択し、
該選択に従って、前記データ及び前記誤り訂正符号を、前記複数のサブキャリアに重畳して伝送することを特徴とする伝送方法。
（付記９）  前記誤り訂正符号を伝送する１以上のサブキャリアの選択において、前記複数のサブキャリアのうち、前記誤り訂正符号を伝送するときに、前記伝送容量の余りが所定値より小さくなる１以上のサブキャリアを選択することを特徴とする付記８に記載の伝送方法。
（付記１０）  前記誤り訂正符号を伝送する１以上のサブキャリアの選択において、前記複数のサブキャリアのうち、前記誤り訂正符号を伝送するときに、前記伝送容量の余りが所定値より小さくなる１以上のサブキャリアが存在しない場合、前記複数のサブキャリアのうち、前記誤り訂正符号を伝送するときに、前記伝送容量の余りが最小となる１以上のサブキャリアを選択することを特徴とする付記９に記載の伝送方法。
（付記１１）  前記誤り訂正符号を伝送する１以上のサブキャリアの選択において、前記複数のサブキャリアのうち、前記誤り訂正符号を伝送するときに、前記伝送容量の余りが最小となる１以上のサブキャリアを選択することを特徴とする付記８に記載の伝送方法。
（付記１２）  前記誤り訂正符号のデータ量を、前記複数のサブキャリアの伝送特性に応じて決定することを特徴とする付記８乃至１１の何れかに記載の伝送方法。
（付記１３）  前記複数のサブキャリアに対する前記伝送容量の割り当てにおいて、前記複数のサブキャリアの伝送特性に応じて、前記複数のサブキャリアに前記伝送容量をそれぞれ割り当てることを特徴とする付記８乃至１２の何れかに記載の伝送方法。
【符号の説明】
【０１０４】
１                            伝送制御装置
２ａ，２ｂ                    伝送装置
１０                          伝送容量割当部（割当部）
１１                          サブキャリア選択部（選択部）
１４                          冗長度決定部（決定部）
【図１】
2014107854.tif 000003
【図２】
2014107854.tif 000004
【図３】
2014107854.tif 000005
【図４】
2014107854.tif 000006
【図５】
2014107854.tif 000007
【図６】
2014107854.tif 000008
【図７】
2014107854.tif 000009
【図８】
2014107854.tif 000010
【図９】
2014107854.tif 000011
【図１０】
2014107854.tif 000012
【図１１】
2014107854.tif 000013
【図１２】
2014107854.tif 000014
【図１３】
2014107854.tif 000015
【図１４】
2014107854.tif 000016
【図１５】
2014107854.tif 000017
【図１６】
2014107854.tif 000018
【図１７】
2014107854.tif 000019
【図１８】
2014107854.tif 000020